(57)【要約】【課題】要求に応じて設定・機能を制御する携帯端末において、要求を受け入れた状況を管理可能とする携帯端末システムの提供。【解決手段】依頼情報サーバ１から送信された要求を受信する依頼情報受信部６と、受信した前記要求に基づき、状態や機能を制御する携帯端末４であって、前記要求を受諾／拒否する場合、受諾／拒否の旨の応答を、前記要求の前記依頼元である依頼情報サーバ１に送信する依頼情報結果送信部５を備えている。【選択図】図１
2008258891.tif 000002
【特許請求の範囲】
【請求項１】
依頼元から送信された要求を含む情報を受信し、受信した前記要求に基づき、状態や機能を制御する携帯端末であって、
前記要求を受信した際、前記要求を受諾する場合には、受諾の旨を、前記要求を拒否する場合には、拒否の旨を、前記要求に対する応答として、前記依頼元に送信する手段を備えた、ことを特徴とする携帯端末。
【請求項２】
前記要求の受諾、拒否の旨を、前記要求で依頼された依頼情報のＩＤと、携帯端末を特定する情報とともに、前記依頼元に送信する手段を備えた、ことを特徴とする請求項１記載の携帯端末。
【請求項３】
請求項１又は２記載の携帯端末と、前記携帯端末に要求を依頼する依頼元を構成するサーバ装置と、を備えた携帯端末制御システム。
【請求項４】
前記サーバ装置は、前記携帯端末からの、前記要求に対する受諾、拒否の回数に基づき、前記携帯端末の状態を把握し、前記依頼を制御する、ことを特徴とする請求項３記載の携帯端末制御システム。
【請求項５】
依頼元から送信された要求を受信し、受信した前記要求に基づき、状態や機能を制御する携帯端末を構成するコンピュータに、
前記要求を受信した際、前記要求を受諾する場合には、受諾の旨を、前記要求を拒否する場合には、拒否の旨を、前記要求に対する応答として、前記依頼元に送信する処理を実行させるプログラム。
【請求項６】
請求項５記載のプログラムにおいて、
前記要求の受諾、拒否の旨を、前記要求で依頼された依頼情報のＩＤと、携帯端末を特定する情報とともに、前記依頼元に送信する処理を実行させるプログラム。
【請求項７】
依頼元から送信された要求を受信する工程と、
受信した前記要求を受諾する場合、前記要求に応じて状態や機能を制御するとともに、受諾の旨を前記要求の前記依頼元に送信する工程と、
前記要求を拒否する場合には、拒否の旨を、前記要求の前記依頼元に送信する工程と、
を含む、ことを特徴とする携帯端末の制御方法。
【請求項８】
前記要求の受諾、拒否の旨を、前記要求で依頼された依頼情報のＩＤと、携帯端末を特定する情報とともに、前記依頼元に送信する工程を含む、ことを特徴とする請求項７記載の携帯端末の制御方法。
【請求項９】
前記依頼元は、前記携帯端末からの、前記要求に対する受諾、拒否の回数に基づき、前記携帯端末の状態を把握し、前記依頼を制御する工程を含む、ことを特徴とする請求項７記載の携帯端末の制御方法。
【発明の詳細な説明】
【技術分野】
【０００１】
本発明は、携帯端末及びシステムに関し、特に、携帯端末自身の状態や周囲の状況に合わせて機能を制御する端末及びシステムと方法並びにプログラムに関する。
【背景技術】
【０００２】
従来の携帯電話及びＰＨＳ（Personal Handyphone System）の移動体通信システムとして、例えば特許文献１には、携帯電話機が、現在のコンテキスト、位置に関係する情報を受信し、携帯電話機は、自動的に、受信した情報で電話機をオフにする、リンガのピッチを変更する、電話機を振動モードにするなどにより、１つまたは複数の携帯電話動作を変更し、また、様々な位置タイプを定義し、それらに所望の携帯電話動作を定義した属性を関連付けるようにした構成が開示されている。
【０００３】
また、携帯電話自身の状態や周囲の状況に合わせて機能を制御する携帯電話機用コンテキスト活用機能制御基盤については、非特許文献１、２等も参照される。
【０００４】
【特許文献１】特開２００２−２７１８６６号公報
【非特許文献１】高橋三恵、山口智治、  細見格、  松本晃、  「近傍から発信される操作要求により動作を決定する携帯端末機能制御」、情報処理学会  第６７回全国大会講演  ５Ｃ−３
【非特許文献２】松本晃，山口智治、  高橋三恵、  細見格、「携帯端末機能制御による操作要求の競合問題と解決」、  情報処理学会第６７回全国大会講演  ５Ｃ−３
【発明の開示】
【発明が解決しようとする課題】
【０００５】
しかしながら、上記特許文献１の携帯電話においては、携帯電話が要求を受け入れたか否かを管理することができない。このため、現在のコンテキスト、位置に関係する情報を送信するだけでは、その効果が全く分からない。
【０００６】
また、携帯電話自身の状態や周囲の状況に合わせて機能を制御する「携帯電話機用コンテキスト活用機能制御基盤」（非特許文献１、２）においては、情報依頼サーバから携帯電話宛に送信するだけで、その結果を得ることができず、依頼がどの程度有効なのかを検証するすべがなかった。
【０００７】
したがって、本発明の目的は、要求に応じて設定・機能を制御する携帯端末において、要求を受け入れた状況を管理可能とする携帯端末、システム、その制御方法ならびにプログラムを提供することにある。
【課題を解決するための手段】
【０００８】
本願で開示される発明は、前記課題を解決するため、概略以下の構成とされる。
【０００９】
本発明に係る携帯端末は、依頼元から送信された要求を含む情報を受信し、受信した前記要求に基づき、状態や機能を制御する携帯端末であって、前記要求を受信した際、前記要求を受諾する場合には、受諾の旨を、前記要求を拒否する場合には、拒否の旨を、前記要求に対する応答として、前記依頼元に送信する手段を備えている。
【００１０】
本発明において、前記要求の受諾、拒否の旨を、前記要求で依頼された依頼情報のＩＤと、携帯端末を特定する情報とともに、前記依頼元に送信する手段を備えている。
【００１１】
本発明に係る携帯端末制御システムは、前記携帯端末と、前記依頼元を構成するサーバ装置と、を備えている。
【００１２】
本発明において、前記サーバ装置は、前記携帯端末からの、前記要求に対する受諾、拒否の回数に基づき、前記携帯端末の状態を把握し、前記依頼を制御する。
【００１３】
本発明に係るコンピュータプログラムは、依頼元から送信された要求を受信し、受信した前記要求に基づき、状態や機能を制御する携帯端末を構成するコンピュータに、
前記要求を受信した際、前記要求を受諾する場合には、受諾の旨を、前記要求を拒否する場合には、拒否の旨を、前記要求に対する応答として、前記依頼元に送信する処理を実行させるプログラムよりなる。本発明に係るプログラムにおいて、前記要求の受諾、拒否の旨を、前記要求で依頼された依頼情報のＩＤと、携帯端末を特定する情報とともに、前記依頼元に送信する処理を実行させるプログラムよりなる。
【００１４】
本発明に係る方法は、依頼元から送信された要求を受信する工程と、
受信した前記要求を受諾する場合、前記要求に応じて状態や機能を制御するとともに、受諾の旨を前記要求の前記依頼元に送信する工程と、
前記要求を拒否する場合には、拒否の旨を、前記要求の前記依頼元に送信する工程と、
を含む。
【００１５】
本発明に係る方法において、前記要求の受諾、拒否の旨を、前記要求で依頼された依頼情報のＩＤと、携帯端末を特定する情報とともに、前記依頼元に送信する工程を含む。
【００１６】
本発明に係る方法において、前記依頼元は、前記携帯端末からの、前記要求に対する受諾、拒否の回数に基づき、前記携帯端末の状態を把握し、前記依頼を制御する工程を含む。
【発明の効果】
【００１７】
本発明によれば、依頼情報サーバに依頼に対する各携帯端末の受託拒否除法を返信することで、依頼情報サーバが受諾及び拒否された数とそれらの端末情報を得ることができるため、依頼情報サーバの管理者は、その場の携帯電話の端末の状態を把握し、依頼拒否が多い場合、他の方法による次のアクションを取ることが出来る。
【発明を実施するための最良の形態】
【００１８】
上記した本発明についてさらに詳細に説述すべく、添付図面を参照して以下に説明する。図１は、本発明の一実施形態のシステム構成を示す図である。本発明は、携帯端末の状態や周囲の状況に合わせて機能を制御する「携帯電話機用コンテキスト活用機能制御基盤」に適用して好適とされる。図１を参照すると、依頼情報サーバ１は、依頼情報結果受信部２と依頼情報送信部３とを備える。依頼情報送信部３は携帯端末４に依頼情報を送信する制御を行う。依頼情報結果受信部２は、携帯端末４から依頼情報結果を受信した場合の処理を行う。これらは、依頼情報サーバ１で実行されるコンピュータプログラムによってその処理・機能が実現される。携帯端末（携帯電話又はＰＨＳ端末）４は、依頼情報結果送信部５と依頼情報受信部６とを備える。依頼情報受信部６は、依頼情報サーバ１の依頼情報送信部３からの依頼情報を受信する。依頼情報結果送信部５は、依頼情報サーバ１からの依頼情報の結果を依頼情報サーバ１に送信する処理を行う。これらは、依頼情報サーバ１で実行されるコンピュータプログラムよりその処理・機能が実現される。なお、依頼情報サーバ１は、不図示の発信機（あるいは無線基地局装置）からの電波による無線通信を介して、携帯端末４と通信接続する。
【００１９】
携帯端末４の依頼情報受信部６は、依頼情報サーバ１の依頼情報送信部３から、電話機をオフにする、リンガのピッチを変更する、電話機を振動モードにする、などの情報を受信する。
【００２０】
依頼情報サーバ１の依頼情報結果受信部２は、携帯端末４の依頼情報結果送信部５から、依頼情報に対し、携帯端末４がどういうアクションを取ったかの情報を受信する。依頼情報サーバ１が、この情報（依頼情報に対し、携帯端末４がどういうアクションを取ったかの情報）を管理することで、依頼の有効性を検証することが出来る。以下、実施例に即して本発明の動作例を詳細に説明する。
【実施例】
【００２１】
図２は、図１に示した本発明のシステムの処理手順の一実施例を示すフローチャートである。図２には、本発明の一実施例としての携帯電話コンテキスト制御状況の管理が示されている。図３、図４は、図１の携帯端末４（携帯電話）が依頼情報サーバ１に送信する依頼情報の受諾、拒否の結果情報の内容の一例をそれぞれ示す図である。
【００２２】
次に、図１及び図２のフローチャートを参照して、本発明の一実施例の動作について説明する。
【００２３】
依頼情報サーバ１により携帯端末４へ依頼情報を送信する（ステップＳ１）。
【００２４】
携帯端末自身の状態や周囲の状況に合わせて携帯端末の機能を制御するという、所謂「携帯電話機コンテキスト活用制御基盤」の環境下において、携帯端末４が、当該「場」に設置された発信機（不図示）からの信号（電波）により、依頼を受信した場合（ステップＳ２のＹＥＳ）、携帯端末４の状態や機能を制御する要求に対して、携帯端末４のユーザによる判断又は自動で、要求を受け入れた場合（ステップＳ３のＹＥＳ）、受け入れた情報を依頼情報サーバ１へ送信する（ステップＳ４）。
【００２５】
ステップＳ３で依頼を受け入れない場合、携帯端末４は、拒否された情報を依頼情報サーバ１へ送信する（ステップＳ５）。
【００２６】
図３は、依頼情報サーバ１に送信する要求を受諾した情報の具体例を示す図である。図３に示すように、携帯端末４の依頼情報結果送信部５は、依頼情報サーバ１による携帯端末４（携帯電話）への依頼情報ＩＤ、携帯端末４（携帯電話）が使用者の了解を得て送信する携帯電話番号など携帯端末４（携帯電話）を特定できる情報、依頼元である依頼情報サーバ１に送信する要求を受諾した旨の情報からなる依頼情報結果を作成して依頼情報サーバ１に送信する。
【００２７】
図４は、依頼情報サーバ１に送信する要求を拒否した情報の具体例を示す図である。図４に示すように、携帯端末４（携帯電話）の依頼情報結果送信部５は、依頼情報サーバ１による携帯端末４（携帯電話）への依頼情報ＩＤ、携帯端末４（携帯電話）が使用者の了解を得て送信する携帯電話番号など携帯端末４（携帯電話）を特定できる情報、依頼元である依頼情報サーバ１に送信する要求を拒否した旨の情報からなる依頼情報結果を作成して依頼情報サーバ１に送信する。
【００２８】
依頼情報サーバ１では、携帯端末４から送信された依頼情報結果を分析することで、携帯端末４に依頼して受諾及び拒否された要求の数とそれらの端末情報を得る。
【００２９】
このように、本実施例においては、携帯端末４が、依頼情報サーバ１に依頼に対する各携帯端末４の受託・拒否を返信しているので、依頼情報サーバ１が受諾及び拒否された数とそれらの端末情報を得ることができる。これにより、依頼情報サーバの管理者は、その場の携帯電話の端末の状態を把握し、依頼拒否が多い場合、他の方法による次のアクションを取ることが出来る。
【００３０】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００３１】
【図１】本発明の一実施形態のシステム構成を示す図である。
【図２】本発明の一実施例の動作を説明する流れ図である。
【図３】本発明の一実施例において、依頼元に送信する要求を受諾した情報の内容例を示す図である。
【図４】本発明の一実施例において、依頼元に送信する要求を拒否した情報の内容例を示す図である。
【符号の説明】
【００３２】
１  依頼情報サーバ
２  依頼情報結果受信部
３  依頼情報送信部
４  携帯端末
５  依頼情報結果送信部
６  依頼情報受信部
【図１】
2008258891.tif 000003
【図２】
2008258891.tif 000004
【図３】
2008258891.tif 000005
【図４】
2008258891.tif 000006